(57)【要約】【課題】ランプケースまたは光源ランプの位置ずれに起因する輝度の低下および光源ランプの破損を抑制することが可能なプロジェクタを提供する。【解決手段】このプロジェクタは、キャスティング４のガイド穴４３ａを有する３つの円筒形状部４３ｂにそれぞれ対応する位置に配置されるように、ライトトンネルクリップ７に一体的に設けられ、実質的にＵ字形状を有する弾性変形可能な３つの抜け止め部材７ｆを備えている。そして、キャスティング４の３つの円筒形状部４３ｂは、それぞれ、円筒形状部４３ｂの外周面からガイド穴４３ａに達するとともに、抜け止め部材７ｆが挿入される溝部４３ｃを有しており、ランプケース９の３つの位置決めボス９ｂは、それぞれ、位置決めボス９ｂがガイド穴４３ａに挿入されたときに、溝部４３ｃに挿入された抜け止め部材７ｆに係合する凹状の係合部９ｄを有する。【選択図】図２
2005043603.tif 000002
【特許請求の範囲】
【請求項１】
光源ランプと、前記光源ランプが装着されるとともに、複数の位置決めボスを含む樹脂製のランプケースと、前記光源ランプが装着されたランプケースを収納するための樹脂製のランプケースホルダと、前記光源ランプの出射光の形状を成形するための筒状のライトトンネルと、前記ランプケースの複数の位置決めボスがそれぞれ挿入されるガイド穴を有する円筒形状部を含み、前記ライトトンネルを含む光学部品が装着される金属製の光学部品ホルダと、前記光学部品ホルダに取り付けられ、前記ライトトンネルを前記光学部品ホルダに固定するための金属製のライトトンネル固定部材とを備えたプロジェクタにおいて、
前記光学部品ホルダのガイド穴を有する複数の円筒形状部にそれぞれ対応する位置に配置されるように、前記ライトトンネル固定部材に一体的に設けられ、実質的にＵ字形状を有する弾性変形可能な複数の抜け止め部材をさらに備え、
前記光学部品ホルダの複数の円筒形状部は、それぞれ、前記円筒形状部の外周面から前記ガイド穴に達するとともに、前記抜け止め部材が挿入される溝部を有しており、
前記ランプケースの複数の位置決めボスは、それぞれ、前記位置決めボスが前記光学部品ホルダの円筒形状部のガイド穴に挿入されたときに、前記円筒形状部の溝部に挿入された実質的にＵ字形状の抜け止め部材に係合する凹状の係合部を有する、プロジェクタ。
【請求項２】
光源ランプと、
前記光源ランプが装着されるとともに、凹状の係合部を有する位置決めボスを含むランプケースと、
前記ランプケースの位置決めボスが挿入されるガイド穴を有するとともに、光学部品が装着される光学部品ホルダと、
前記光学部品ホルダのガイド穴に対応する位置に配置され、前記ランプケースの位置決めボスが前記ガイド穴に挿入されたときに、前記位置決めボスの凹状の係合部に係合する凸状の抜け止め部材とを備えた、プロジェクタ。
【請求項３】
前記抜け止め部材は、弾性変形可能な構造を有する、請求項２に記載のプロジェクタ。
【請求項４】
前記凸状の抜け止め部材は、実質的にＵ字形状を有する、請求項２または３に記載のプロジェクタ。
【請求項５】
前記光学部品ホルダのガイド穴は、前記光学部品ホルダの表面から突出した筒状部に設けられており、
前記筒状部は、前記筒状部の外周面から前記ガイド穴に達するとともに、前記抜け止め部材が挿入される溝部を有する、請求項２〜４のいずれか１項に記載のプロジェクタ。
【請求項６】
前記光源ランプの出射光の形状を成形するためのライトトンネルと、
前記ライトトンネルを前記光学部品ホルダに固定するためのライトトンネル固定部材とをさらに備え、
前記抜け止め部材は、前記ライトトンネル固定部材に一体的に設けられている、請求項２〜５のいずれか１項に記載のプロジェクタ。
【発明の詳細な説明】
【０００１】
【発明の属する技術分野】
この発明は、プロジェクタに関し、特に、光源ランプを有するプロジェクタに関する。
【０００２】
【従来の技術】
従来、光源ランプから出射された光を光学的に処理することによって、画像情報に対応した光学像を形成するプロジェクタが知られている（たとえば、特許文献１参照）。
【０００３】
図９は、従来のプロジェクタの投影部および光源部を示した分解斜視図であり、図１０は、図９に示した従来のプロジェクタのキャスティングの斜視図である。図１１は、図９に示した従来のプロジェクタのライトトンネル周辺の拡大斜視図であり、図１２は、図９に示した従来のプロジェクタのライトトンネルクリップの斜視図である。図１３は、図９に示した従来のプロジェクタのランプケースの位置決めボスの拡大斜視図であり、図１４は、図９に示した従来のプロジェクタの光源ランプの斜視図である。図１５は、光源ランプの出射光とライトトンネルとの関係を説明するための断面図である。まず、図９〜図１５を参照して、従来のプロジェクタの構造について説明する。
【０００４】
従来のプロジェクタは、図９に示すように、装置内部に、投影部１０２と光源部１０３とが設けられている。投影部１０２には、キャスティング１０４が設置されている。このキャスティング１０４は、図１０に示すように、レンズ装着部１４１と、ライトトンネル装着部１４２と、ガイド部１４３とを有している。レンズ装着部１４１には、円形状のレンズ取付穴部１４１ａが設けられている。また、ライトトンネル装着部１４２には、所定の角度傾斜した底面および側面を有する溝部１４２ａと、２つの位置決めボス１４２ｂおよび２つのネジ穴１４２ｃとが設けられている。また、ガイド部１４３には、ガイド穴１４３ａを有する３つの円筒形状部１４３ｂが設けられている。
【０００５】
そして、キャスティング１０４の円形状のレンズ取付穴部１４１ａには、図９に示すように、スクリーンなどに画像を投影するための投影レンズ１０５が装着されている。また、キャスティング１０４の溝部１４２ａ（図１０参照）には、図１１に示すように、筒状のライトトンネル１０６がライトトンネルクリップ１０７によって固定されている。ライトトンネル１０６は、光源部１０３（図９参照）からの光が入射される入口部１０６ａを有するとともに、入口部１０６ａに入射された光の形状を成形する機能を有する。また、ライトトンネル１０６は、光を矩形状に成形するために、４枚の反射ミラーにより筒状の四面体になるように、かつ、ミラー部が内側に配置されるように構成されている。
【０００６】
また、ライトトンネルクリップ１０７は、図１１および図１２に示すように、ライトトンネル１０６の上面を押圧するための板ばね状の第１押圧部１０７ａと、一方の側面を押圧するための板ばね状の第２押圧部１０７ｂとを有している。また、ライトトンネルクリップ１０７のキャスティング１０４の位置決めボス１４２ｂおよびネジ穴１４２ｃ（図１０参照）に対応する領域には、それぞれ、ガイド穴１０７ｃおよびネジ用穴部１０７ｄが設けられている。また、ライトトンネルクリップ１０７のライトトンネル１０６の入口部１０６ａに対応する領域には、開口部１０７ｅが設けられている。そして、ライトトンネルクリップ１０７の２つのガイド穴１０７ｃには、それぞれ、キャスティング１０４の位置決めボス１４２ｂが挿入されている。また、ライトトンネルクリップ１０７の２つのネジ用穴部１０７ｄを介して、ライトトンネルクリップ１０７がキャスティング１０４にネジ１４２ｄにより取り付けられている。これにより、ライトトンネルクリップ１０７の第１押圧部１０７ａおよび第２押圧部１０７ｂによる押圧力によって、ライトトンネル１０６が固定されている。
【０００７】
また、図９に示すように、光源部１０３には、ランプケースホルダ１０８が設置されている。このランプケースホルダ１０８には、２つのネジ穴１０８ａが設けられている。ランプケースホルダ１０８の内部には、ランプケース１０９が収納されている。このランプケース１０９には、２つのネジ用穴部１０９ａが設けられている。そして、ランプケース１０９の２つのネジ用穴部１０９ａを介して、ランプケース１０９がランプケースホルダ１０８にネジ１０８ｂにより取り付けられている。
【０００８】
また、ランプケース１０９の投影部１０２側の面には、ランプケース１０９をキャスティング１０４に対して位置決めするための位置決めボス１０９ｂが設けられている。このランプケース１０９の位置決めボス１０９ｂは、図１３に示した矢印Ｐ方向から見て実質的に十字形状を有している。また、ランプケース１０９の位置決めボス１０９ｂは、キャスティング１０４の３つの円筒形状部１４３ｂのガイド穴１４３ａ（図９および図１０参照）に対応する位置にそれぞれ配置されている。そして、ランプケース１０９の３つの位置決めボス１０９ｂが、それぞれ、ガイド穴１４３ａに挿入された状態で、ランプケース１０９がランプケースホルダ１０８にネジ１０８ｂにより固定されることにより、ランプケース１０９は、キャスティング１０４に対して位置決めされた状態で固定される。
【０００９】
ランプケース１０９の内部には、図９に示すように、光源ランプ１１０が装着されている。この光源ランプ１１０は、図１４および図１５に示すように、光源１１０ａと凹状のリフレクタ１１０ｂとによって構成されている。そして、図１５に示すように、光源１１０ａにより生成された光１１０ｃは、凹状のリフレクタ１１０ｂにより反射されることによって、キャスティング１０４に装着されたライトトンネル１０６の入口部１０６ａの中央部に集光される。
【００１０】
ここで、光源ランプ１１０を用いる従来のプロジェクタでは、プロジェクタの使用時間が所定の時間に達すると、光源ランプ１１０の能力が低下するので、光源ランプ１１０を交換する必要がある。そして、従来のプロジェクタの光源ランプ１１０を交換する場合には、使用者は、図９に示したランプケース１０９ごと光源ランプ１１０を交換する必要がある。
【００１１】
【特許文献１】
特開２００１−２１５６１８号公報
【発明が解決しようとする課題】
しかしながら、従来では、使用者がランプケース１０９を交換する際に、ランプケースホルダ１０８に対するランプケース１０９のネジ１０８ｂによる締め付けが不十分である場合があった。この場合、ランプケース１０９が完全に固定されていない状態でプロジェクタが使用されるので、ランプケースホルダ１０８に対するランプケース１０９の位置がずれるという不都合が生じる。このため、ランプケース１０９に装着された光源ランプ１１０の光軸もずれるので、輝度が低下するという問題点があった。また、光源ランプ１１０の光軸がずれると、光源ランプ１１０の出射光がライトトンネル１０６の入口部１０６ａ以外の領域に入射するという不都合があった。その結果、ライトトンネル１０６の入口部１０６ａ以外の領域に入射した光源ランプ１１０の出射光が光源ランプ１１０側に反射することに起因して、光源ランプ１１０が破損するという問題点があった。
【００１２】
また、プロジェクタが天井に取り付けられている場合には、ランプケース１０９を交換する際に、使用者は、一方の手でランプケース１０９をランプケースホルダ１０８に押し付けながら、他方の手でネジ締め作業を行う必要がある。このため、ネジ締めが不完全な状態で使用者が誤ってランプケース１０９を保持している方の手を離した場合には、ランプケース１０９が落下する可能性があるという問題点があった。
【００１３】
また、上記特許文献１に開示されたプロジェクタについても、図９に示した従来のプロジェクタと同様、光源ランプを交換する際の光源ランプの位置ずれを防止する対策がなされていないので、図９に示した従来のプロジェクタと同様の問題点が生じる。すなわち、光源ランプを交換する際に、光源ランプのネジなどによる締め付けが不十分である場合に、光源ランプの光軸がずれることにより、輝度の低下や反射光による光源ランプの破損が発生するという問題点がある。
【００１４】
この発明は、上記のような課題を解決するためになされたものであり、この発明の１つの目的は、ランプケースまたは光源ランプの位置ずれに起因する輝度の低下および光源ランプの破損を抑制することが可能なプロジェクタを提供することである。
【００１５】
【課題を解決するための手段および発明の効果】
上記目的を達成するために、この発明の第１の局面におけるプロジェクタは、光源ランプと、光源ランプが装着されるとともに、複数の位置決めボスを含む樹脂製のランプケースと、光源ランプが装着されたランプケースを収納するための樹脂製のランプケースホルダと、光源ランプの出射光の形状を成形するための筒状のライトトンネルと、ランプケースの複数の位置決めボスがそれぞれ挿入されるガイド穴を有する円筒形状部を含み、ライトトンネルを含む光学部品が装着される金属製の光学部品ホルダと、光学部品ホルダに取り付けられ、ライトトンネルを光学部品ホルダに固定するための金属製のライトトンネル固定部材とを備えたプロジェクタにおいて、光学部品ホルダのガイド穴を有する複数の円筒形状部にそれぞれ対応する位置に配置されるように、ライトトンネル固定部材に一体的に設けられ、実質的にＵ字形状を有する弾性変形可能な複数の抜け止め部材をさらに備え、光学部品ホルダの複数の円筒形状部は、それぞれ、円筒形状部の外周面からガイド穴に達するとともに、抜け止め部材が挿入される溝部を有しており、ランプケースの複数の位置決めボスは、それぞれ、位置決めボスが光学部品ホルダの円筒形状部のガイド穴に挿入されたときに、円筒形状部の溝部に挿入された実質的にＵ字形状の抜け止め部材に係合する凹状の係合部を有する。
【００１６】
この第１の局面によるプロジェクタでは、上記のように、複数の抜け止め部材を、光学部品ホルダの複数のガイド穴にそれぞれ対応する位置に設けるとともに、光学部品ホルダのガイド穴を有する複数の円筒形状部に、それぞれ、抜け止め部材が挿入される溝部を設け、かつ、ランプケースの複数の位置決めボスに、それぞれ、位置決めボスが光学部品ホルダの円筒形状部のガイド穴に挿入されたときに、円筒形状部の溝部に挿入された抜け止め部材に係合する凹状の係合部を設けることによって、光源ランプが装着されたランプケースを交換する場合に、抜け止め部材とランプケースの位置決めボスの凹状の係合部とが係合することにより、ランプケースを光学部品ホルダに位置決めした状態で仮固定することができる。このため、ランプケースをネジにより完全に固定していなかったとしても、ランプケースがずれることがない。これにより、ランプケースに装着された光源ランプの光軸もずれることがないので、光源ランプの出射光がライトトンネルの入口部以外の領域に入射するのを防止することができる。その結果、輝度の低下を抑制することができるとともに、ライトトンネルの入口部以外の領域に入射した光源ランプの出射光が光源ランプ側に反射することに起因して、光源ランプが破損するのを防止することができる。また、ランプケースをネジにより固定する際に、ランプケースが仮固定されているので、容易に、ランプケースの交換作業を行うことができる。なお、天井に取り付けられたプロジェクタのランプケースを交換する場合には、上記抜け止め部材と凹状の係合部とによる仮固定により、ランプケースをネジにより固定する作業の際に、ランプケースが落下するのを防止することができるので、本発明は特に有効である。
【００１７】
また、第１の局面によるプロジェクタでは、抜け止め部材を、弾性変形可能に構成することによって、ランプケースの位置決めボスを光学部品ホルダの円筒形状部のガイド穴に挿入する際に、位置決めボスが抜け止め部材に当接したときに、抜け止め部材が弾性変形するので、位置決めボスを十分にガイド穴に挿入することができる。これにより、位置決めボスの凹状の係合部と抜け止め部材とを容易に係合させることができる。また、抜け止め部材を、実質的にＵ字形状を有するように構成することによって、ランプケースの位置決めボスを光学部品ホルダの円筒形状部のガイド穴に挿入する際に、位置決めボスが抜け止め部材から受ける抵抗を低減することができる。これにより、位置決めボスをガイド穴に容易に挿入することができるとともに、位置決めボスの凹状の係合部と実質的にＵ字形状の抜け止め部材とを容易に係合させることができる。また、光学部品ホルダの円筒形状部に、円筒形状部の外周面からガイド穴に達するとともに、抜け止め部材が挿入される溝部を設けることによって、容易に、円筒形状部のガイド穴に挿入されたランプケースの位置決めボスの凹状の係合部に、抜け止め部材を係合させることができる。また、抜け止め部材をライトトンネル固定部材に一体的に設けることによって、抜け止め部材を設けたとしても、部品点数が増加することがない。
【００１８】
この発明の第２の局面におけるプロジェクタは、光源ランプと、光源ランプが装着されるとともに、凹状の係合部を有する位置決めボスを含むランプケースと、ランプケースの位置決めボスが挿入されるガイド穴を有するとともに、光学部品が装着される光学部品ホルダと、光学部品ホルダのガイド穴に対応する位置に配置され、ランプケースの位置決めボスがガイド穴に挿入されたときに、位置決めボスの凹状の係合部に係合する凸状の抜け止め部材とを備えている。
【００１９】
この第２の局面によるプロジェクタでは、上記のように、抜け止め部材を、光学部品ホルダのガイド穴に対応する位置に設けるとともに、ランプケースの位置決めボスに、位置決めボスが光学部品ホルダのガイド穴に挿入されたときに、抜け止め部材に係合する凹状の係合部を設けることによって、光源ランプが装着されたランプケースを交換する場合に、抜け止め部材とランプケースの位置決めボスの凹状の係合部とが係合することにより、ランプケースを光学部品ホルダに位置決めした状態で仮固定することができる。このため、ランプケースをネジにより完全に固定していなかったとしても、ランプケースがずれることがない。これにより、ランプケースに装着された光源ランプの光軸もずれることがないので、光源ランプの出射光の形状をライトトンネルにより成形する場合に、光源ランプの出射光がライトトンネルの入口部以外の領域に入射するのを防止することができる。その結果、輝度の低下を抑制することができるとともに、ライトトンネルの入口部以外の領域に入射した光源ランプの出射光が光源ランプ側に反射することに起因して、光源ランプが破損するのを防止することができる。また、ランプケースをネジにより固定する際に、ランプケースが仮固定されているので、容易に、ランプケースの交換作業を行うことができる。なお、天井に取り付けられたプロジェクタのランプケースを交換する場合には、上記抜け止め部材と凹状の係合部とによる仮固定により、ランプケースをネジにより固定する作業の際に、ランプケースが落下するのを防止することができるので、本発明は特に有効である。
【００２０】
上記第２の局面におけるプロジェクタにおいて、好ましくは、抜け止め部材は、弾性変形可能な構造を有する。このように構成すれば、ランプケースの位置決めボスを光学部品ホルダのガイド穴に挿入する際に、位置決めボスが抜け止め部材に当接したときに、抜け止め部材が弾性変形するので、位置決めボスを十分にガイド穴に挿入することができる。これにより、位置決めボスの凹状の係合部と抜け止め部材とを容易に係合させることができる。
【００２１】
上記第２の局面におけるプロジェクタにおいて、好ましくは、凸状の抜け止め部材は、実質的にＵ字形状を有する。このように構成すれば、ランプケースの位置決めボスを光学部品ホルダのガイド穴に挿入する際に、位置決めボスが抜け止め部材から受ける抵抗を低減することができる。これにより、位置決めボスをガイド穴に容易に挿入することができるとともに、位置決めボスの凹状の係合部と実質的にＵ字形状の抜け止め部材とを容易に係合させることができる。
【００２２】
上記第２の局面におけるプロジェクタにおいて、好ましくは、光学部品ホルダのガイド穴は、光学部品ホルダの表面から突出した筒状部に設けられており、筒状部は、筒状部の外周面からガイド穴に達するとともに、抜け止め部材が挿入される溝部を有する。このように構成すれば、抜け止め部材を筒状部の溝部に挿入することによって、容易に、筒状部のガイド穴に挿入されたランプケースの位置決めボスの凹状の係合部に、抜け止め部材を係合させることができる。
【００２３】
上記第２の局面におけるプロジェクタにおいて、好ましくは、光源ランプの出射光の形状を成形するためのライトトンネルと、ライトトンネルを光学部品ホルダに固定するためのライトトンネル固定部材とをさらに備え、抜け止め部材は、ライトトンネル固定部材に一体的に設けられている。このように構成すれば、抜け止め部材を設けたとしても、部品点数が増加することがない。
【００２４】
【発明の実施の形態】
以下、本発明の実施形態を図面に基づいて説明する。
【００２５】
図１は、本発明の一実施形態によるプロジェクタを示した斜視図であり、図２は、図１に示した一実施形態によるプロジェクタの投影部および光源部の分解斜視図である。図３は、図２に示した投影部のキャスティングの斜視図であり、図４は、図２に示した投影部のライトトンネル周辺の拡大斜視図である。図５は、図２に示した投影部のライトトンネルクリップの斜視図であり、図６は、図２に示した光源部のランプケースの平面図である。図７は、図６に示したランプケースの位置決めボスの拡大斜視図であり、図８は、キャスティングのガイド穴にランプケースの位置決めボスが挿入された状態を説明するための断面図である。まず、図１〜図８を参照して、本実施形態によるプロジェクタの構造について説明する。なお、本実施形態では、ＤＭＤ（変形可能鏡装置）を用いたＤＬＰ（デジタル光技術）方式のプロジェクタについて説明する。
【００２６】
本実施形態によるプロジェクタは、図１に示すように、外装ケース１の内部に、投影部２と光源部３とが設けられている。外装ケース１は、前部ケース１ａと、上部ケース１ｂと、下部ケース１ｃとによって構成されている。前部ケース１ａは、本体の前部を覆うために設けられている。また、上部ケース１ｂは、本体の上部と、側部の光源部３に対応する領域とを覆うために設けられている。また、下部ケース１ｃは、本体の下部と、側部の光源部３に対応する領域以外の領域とを覆うために設けられている。
【００２７】
下部ケース１ｃの投影部２に対応する領域には、図２に示すように、マグネシウム製のキャスティング４が設置されている。なお、キャスティング４は、本発明の「光学部品ホルダ」の一例である。このキャスティング４は、図３に示すように、レンズ装着部４１と、ライトトンネル装着部４２と、ガイド部４３とを有している。レンズ装着部４１には、円形状のレンズ取付穴部４１ａが設けられている。また、ライトトンネル装着部４２には、所定の角度傾斜した底面および側面を有する溝部４２ａと、２つの位置決めボス４２ｂおよび２つのネジ穴４２ｃとが設けられている。また、ガイド部４３には、ガイド穴４３ａを有する３つの円筒形状部４３ｂが設けられている。
【００２８】
ここで、本実施形態では、キャスティング４の３つの円筒形状部４３ｂは、それぞれ、円筒形状部４３ｂの外周面からガイド穴４３ａに達する溝部４３ｃを有している。
【００２９】
そして、キャスティング４の円形状のレンズ取付穴部４１ａには、図２に示すように、スクリーンなどに画像を投影するための投影レンズ５が装着されている。また、キャスティング４の溝部４２ａ（図３参照）には、図４に示すように、筒状のライトトンネル６がライトトンネルクリップ７によって固定されている。ライトトンネル６は、光源部３（図２参照）からの光が入射される入口部６ａを有するとともに、入口部６ａに入射された光の形状を成形する機能を有する。また、ライトトンネル６は、光を矩形状に成形するために、４枚の反射ミラーにより筒状の四面体になるように、かつ、ミラー部が内側に配置されるように構成されている。なお、ライトトンネルクリップ７は、本発明の「ライトトンネル固定部材」の一例である。
【００３０】
また、ライトトンネルクリップ７は、図４および図５に示すように、ライトトンネル６の上面を押圧するための板ばね状の第１押圧部７ａと、一方の側面を押圧するための板ばね状の第２押圧部７ｂとを有している。また、ライトトンネルクリップ７のキャスティング４の位置決めボス４２ｂおよびネジ穴４２ｃ（図３参照）に対応する領域には、それぞれ、ガイド穴７ｃおよびネジ用穴部７ｄが設けられている。また、ライトトンネルクリップ７のライトトンネル６の入口部６ａに対応する領域には、開口部７ｅが設けられている。そして、ライトトンネルクリップ７の２つのガイド穴７ｃには、それぞれ、キャスティング４の位置決めボス４２ｂが挿入されている。また、ライトトンネルクリップ７の２つのネジ用穴部７ｄを介して、ライトトンネルクリップ７がキャスティング４にネジ４２ｄにより取り付けられている。これにより、ライトトンネルクリップ７の第１押圧部７ａおよび第２押圧部７ｂによる押圧力によって、ライトトンネル６が固定されている。
【００３１】
ここで、本実施形態では、ライトトンネルクリップ７に、実質的にＵ字形状を有する弾性変形可能な３つの抜け止め部材７ｆが一体的に設けられている。この３つの抜け止め部材７ｆは、図４に示すように、キャスティング４のガイド穴４３ａを有する３つの円筒形状部４３ｂにそれぞれ対応する位置に配置されているとともに、その円筒形状部４３ｂの溝部４３ｃに挿入されている。
【００３２】
また、図２に示すように、下部ケース１ｃ（図１参照）の光源部３に対応する領域には、樹脂製のランプケースホルダ８が設置されている。このランプケースホルダ８には、２つのネジ穴８ａが設けられている。ランプケースホルダ８の内部には、光源ランプ１０が装着された樹脂製のランプケース９が収納されている。このランプケース９には、２つのネジ用穴部９ａが設けられている。そして、ランプケース９の２つのネジ用穴部９ａを介して、ランプケース９がランプケースホルダ８にネジ８ｂにより取り付けられている。
【００３３】
また、ランプケース９の投影部２側の面には、図６および図７に示すように、ランプケース９をキャスティング４（図２参照）に対して位置決めするための３つの位置決めボス９ｂが設けられている。このランプケース９の３つの位置決めボス９ｂは、それぞれ、図７の矢印Ｂ方向から見て実質的に十字形状を有している。また、ランプケース９の３つの位置決めボス９ｂは、それぞれ、キャスティング４の円筒形状部４３ｂのガイド穴４３ａ（図２および図４参照）に対応する位置に配置されているとともに、そのガイド穴４３ａに挿入される。これにより、ランプケース９は、キャスティング４に対して位置決めされる。また、ランプケース９の投影部２側の面には、光源ランプ１０の光源１０ａの光を出射するための穴部９ｃが設けられている。そして、光源ランプ１０の出射光は、キャスティング４に装着されたライトトンネル６の入口部６ａ（図４参照）の中央部に集光される。
【００３４】
ここで、本実施形態では、図７および図８に示すように、ランプケース９の３つの位置決めボス９ｂは、それぞれ、凹状の係合部９ｄを有している。この凹状の係合部９ｄは、位置決めボス９ｂがキャスティング４の円筒形状部４３ｂのガイド穴４３ａに挿入されたときに、円筒形状部４３ｂの溝部４３ｃに挿入された実質的にＵ字形状の抜け止め部材７ｆに係合する。これにより、円筒形状部４３ｂのガイド穴４３ａに挿入された位置決めボス９ｂは、位置決めボス９ｂの凹状の係合部９ｄにより抜け止め部材７ｆと係合される。
【００３５】
本実施形態では、上記のように、抜け止め部材７ｆをライトトンネルクリップ７に一体的に設けることによって、抜け止め部材７ｆを設けたとしても、部品点数が増加することがない。
【００３６】
次に、図１、図２および図８を参照して、光源ランプ１０が装着されたランプケース９を交換する際の動作について説明する。まず、図１に示した上部ケース１ｂを外す。これにより、光源部３が露出した状態になる。この状態で、図２に示したネジ８ｂを取り外すことによって、古い光源ランプ１０が装着されたランプケース９を矢印Ａ方向に引き出す。そして、新しい光源ランプ１０が装着されたランプケース９をランプケースホルダ８に収納する。この際、ランプケース９の位置決めボス９ｂを、キャスティング４の円筒形状部４３ｂのガイド穴４３ａに挿入する。
【００３７】
このとき、本実施形態では、図８に示したように、ランプケース９の位置決めボス９ｂの凹状の係合部９ｄが、キャスティング４の円筒形状部４３ｂの溝部４３ｃに挿入された実質的にＵ字形状の抜け止め部材７ｆに係合する。これにより、ランプケース９がキャスティング４に対して仮固定される。この後、図２に示したように、ランプケース９の２つのネジ用穴部９ａを介して、ランプケース９をランプケースホルダ８にネジ８ｂにより取り付ける。
【００３８】
本実施形態では、上記のように、３つの抜け止め部材７ｆを、キャスティング４の３つのガイド穴４３ａにそれぞれ対応する位置に設けるとともに、キャスティング４のガイド穴４３ａを有する３つの円筒形状部４３ｂに、それぞれ、抜け止め部材７ｆが挿入される溝部４３ｃを設け、かつ、ランプケース９の３つの位置決めボス９ｂに、それぞれ、位置決めボス９ｂがキャスティング４のガイド穴４３ａに挿入されたときに、円筒形状部４３ｂの溝部４３ｃに挿入された抜け止め部材７ｆに係合する凹状の係合部９ｄを設けることによって、光源ランプ１０が装着されたランプケース９を交換する場合に、抜け止め部材７ｆとランプケース９の位置決めボス９ｂの凹状の係合部９ｄとが係合することにより、ランプケース９をキャスティング４に位置決めした状態で仮固定することができる。このため、ランプケース９をネジ８ｂにより完全に固定していなかったとしても、ランプケース９がずれることがない。これにより、ランプケース９に装着された光源ランプ１０の光軸もずれることがないので、光源ランプ１０の出射光がライトトンネル６の入口部６ａ以外の領域に入射するのを防止することができる。その結果、輝度の低下を抑制することができるとともに、ライトトンネル６の入口部６ａ以外の領域に入射した光源ランプ１０の出射光が光源ランプ１０側に反射することに起因して、光源ランプ１０が破損するのを防止することができる。
【００３９】
また、本実施形態では、ランプケース９をネジ８ｂにより固定する際に、ランプケース９が仮固定されているので、容易に、ランプケース９の交換作業を行うことができる。特に、天井に取り付けられたプロジェクタのランプケース９を交換する場合には、上記抜け止め部材７ｆと凹状の係合部９ｄとによる仮固定により、ランプケース９をネジ８ｂにより固定する作業の際に、ランプケース９が落下するのを防止することができる。
【００４０】
また、本実施形態では、抜け止め部材７ｆを、弾性変形可能に構成することによって、ランプケース９の位置決めボス９ｂをキャスティング４のガイド穴４３ａに挿入する際に、位置決めボス９ｂが抜け止め部材７ｆに当接したときに、抜け止め部材７ｆが弾性変形するので、位置決めボス９ｂを十分にガイド穴４３ａに挿入することができる。これにより、位置決めボス９ｂの凹状の係合部９ｄと抜け止め部材７ｆとを容易に係合させることができる。また、抜け止め部材７ｆを、実質的にＵ字形状を有するように構成することによって、ランプケース９の位置決めボス９ｂをキャスティング４のガイド穴４３ａに挿入する際に、位置決めボス９ｂが抜け止め部材７ｆから受ける抵抗を低減することができる。これにより、位置決めボス９ｂをガイド穴４３ａに容易に挿入することができるとともに、位置決めボス９ｂの凹状の係合部９ｄと実質的にＵ字形状の抜け止め部材７ｆとを容易に係合させることができる。また、キャスティング４の円筒形状部４３ｂに、円筒形状部４３ｂの外周面からガイド穴４３ａに達するとともに、抜け止め部材７ｆが挿入される溝部４３ｃを設けることによって、容易に、円筒形状部４３ｂのガイド穴４３ａに挿入されたランプケース９の位置決めボス９ｂの凹状の係合部９ｄに、抜け止め部材７ｆを係合させることができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、キャスティング４のガイド穴４３ａに対応する位置に配置されるように、抜け止め部材７ｆをトンネルクリップ７に一体的に設けるようにしたが、本発明はこれに限らず、抜け止め部材がキャスティングのガイド穴に対応する位置に配置されていれば、抜け止め部材をトンネルクリップに一体的に設けなくてもよい。たとえば、抜け止め部材単体を、キャスティングのガイド穴の近傍に取り付けるようにしてもよい。
【００４３】
また、上記実施形態では、抜け止め部材７ｆを、弾性変形可能に構成するようにしたが、本発明はこれに限らず、弾性変形しない抜け止め部材を用いてもよい。
【００４４】
また、上記実施形態では、抜け止め部材７ｆを、実質的にＵ字形状を有するように構成するようにしたが、本発明はこれに限らず、ランプケースの位置決めボスの凹状の係合部に係合する形状であれば、抜け止め部材をＵ字形状以外の凸状に構成してもよい。
【００４５】
また、上記実施形態では、キャスティング４にガイド穴４３ａを有する円筒形状部４３ｂを設けるとともに、その円筒形状部４３ｂに抜け止め部材７ｆが挿入される溝部４３ｃを設けるようにしたが、本発明はこれに限らず、キャスティングにガイド穴のみを設けるようにしてもよい。
【図面の簡単な説明】
【図１】本発明の一実施形態によるプロジェクタを示した斜視図である。
【図２】図１に示した一実施形態によるプロジェクタの投影部および光源部の分解斜視図である。
【図３】図２に示した投影部のキャスティングの斜視図である。
【図４】図２に示した投影部のライトトンネル周辺の拡大斜視図である。
【図５】図２に示した投影部のライトトンネルクリップの斜視図である。
【図６】図２に示した光源部のランプケースの平面図である。
【図７】図６に示したランプケースの位置決めボスの拡大斜視図である。
【図８】キャスティングのガイド穴にランプケースの位置決めボスが挿入された状態を説明するための断面図である。
【図９】従来のプロジェクタの投影部および光源部を示した分解斜視図である。
【図１０】図９に示した従来のプロジェクタのキャスティングの斜視図である。
【図１１】図９に示した従来のプロジェクタのライトトンネル周辺の拡大斜視図である。
【図１２】図９に示した従来のプロジェクタのライトトンネルクリップの斜視図である。
【図１３】図９に示した従来のプロジェクタのランプケースの位置決めボスの拡大斜視図である。
【図１４】図９に示した従来のプロジェクタの光源ランプの斜視図である。
【図１５】光源ランプの出射光とライトトンネルとの関係を説明するための断面図である。
【符号の説明】
４  キャスティング（光学部品ホルダ）
６  ライトトンネル
７  ライトトンネルクリップ（ライトトンネル固定部材）
７ｆ  抜け止め部材
８  ランプケースホルダ
９  ランプケース
９ｂ  位置決めボス
９ｄ  係合部
１０  光源ランプ
４３ａ  ガイド穴
４３ｂ  円筒形状部
４３ｃ  溝部
【図１】
2005043603.tif 000003
【図２】
2005043603.tif 000004
【図３】
2005043603.tif 000005
【図４】
2005043603.tif 000006
【図５】
2005043603.tif 000007
【図６】
2005043603.tif 000008
【図７】
2005043603.tif 000009
【図８】
2005043603.tif 000010
【図９】
2005043603.tif 000011
【図１０】
2005043603.tif 000012
【図１１】
2005043603.tif 000013
【図１２】
2005043603.tif 000014
【図１３】
2005043603.tif 000015
【図１４】
2005043603.tif 000016
【図１５】
2005043603.tif 000017